(57)【要約】【課題】載置する棚の奥行きに応じて陳列状態を変更できる陳列具を、容易に組み立てられるようにする。【解決手段】複数個のトレー１，２を前後に配置して連結し、後方のトレー２に対して前方のトレー１をスライドさせることにより、前後のトレー１，２が共に棚に載置された通常の棚置陳列状態と、後方のトレー２が棚に載置され、前方のトレー１が後方のトレー２に掛け下げられた前出し陳列状態とに兼用可能な陳列具において、前後のトレー１，２の一方にガイド用長穴１６を形成し、他方に係止突部３０を設け、係止突部３０を長穴１６に挿通することにより、前方のトレー１が長穴１６に沿ってスライドするようにし、前後のトレー１，２を上下に離すことなく、前後のトレー１，２を連結できるようにする。【選択図】図２
2009082557.tif 000002
【特許請求の範囲】
【請求項１】
複数個のトレー(1,2)を前後に配置して連結し、後方のトレー(2)に対して前方のトレー(1)をスライドさせることにより、前後のトレー(1,2)が共に棚に載置された通常の棚置陳列状態と、後方のトレー(2)が棚に載置され、前方のトレー(1)が後方のトレー(2)に掛け下げられた前出し陳列状態とに兼用可能な陳列具において、前後のトレー(1,2)の一方にガイド用長穴(16)を形成し、他方に係止突部(30)を設け、係止突部(30)を長穴(16)に挿通することにより、前方のトレー(1)が長穴(16)に沿ってスライドするようにしたことを特徴とする陳列具。
【発明の詳細な説明】
【技術分野】
【０００１】
この発明は、複数個のトレーから成り、店頭の棚に設置してトレーに載せた商品を陳列する陳列具に関するものである。
【背景技術】
【０００２】
従来、下記特許文献１には、図１０に示すように、３個のトレー５１，５２，５３を前後に配置して、前後関係が後方のトレー５２，５３に対して、前方のトレー５１，５２を上下方向にスライド可能に連結したものが記載されている。
【０００３】
これら３個のトレー５１，５２，５３の連結は、前方のトレー５１，５２の後面に取り付けた長いレール５４と、後方のトレー５２，５３の前面に取り付けた短いレール５５とを係合させることにより行なわれている。
【０００４】
この陳列具は、図１０（ａ）に示すように、前後の全てのトレー５１，５２，５３が共に奥行きの深い棚Ａに載置された通常の棚置陳列状態と、図１０（ｂ）に示すように、後方の２個のトレー５２，５３が奥行きの浅い棚Ｂに載置され、前方の１個のトレー５１がその後方のトレー５２に掛け下げられた前出し陳列状態とに兼用できる。
【０００５】
なお、最後部のトレー５３の底部には、前出し陳列状態で雛壇状にするための折畳式の脚部材５６が設けられている。
【０００６】
【特許文献１】実開昭５１−４０２９２号公報
【発明の開示】
【発明が解決しようとする課題】
【０００７】
しかしながら、上記のような陳列具では、組み立てに際し、レール５４，５５を係合させるため、トレー５１，５２，５３を上下に離した状態で、長いレール５４の開放された下端から短いレール５５を挿入しなければならず、作業が難しいという問題がある。
【０００８】
そこで、この発明は、棚の奥行きに応じて陳列状態を変更できる陳列具を、容易に組み立てられるようにすることを課題とする。
【課題を解決するための手段】
【０００９】
上記課題を解決するため、この発明は、複数個のトレーを前後に配置して連結し、後方のトレーに対して前方のトレーをスライドさせることにより、前後のトレーが共に棚に載置された通常の棚置陳列状態と、後方のトレーが棚に載置され、前方のトレーが後方のトレーに掛け下げられた前出し陳列状態とに兼用可能な陳列具において、前後のトレーの一方にガイド用長穴を形成し、他方に係止突部を設け、係止突部を長穴に挿通することにより、前方のトレーが長穴に沿ってスライドするようにしたのである。
【発明の効果】
【００１０】
この発明に係る陳列具では、前後のトレーを、上下に離すことなく、前後に並べた状態で連結できるため、組立作業を容易に行うことができる。
【００１１】
そして、後方のトレーに対する前方のトレーのスライドに伴い、奥行きの深い棚に対応する通常の棚置陳列状態と、奥行きの浅い棚に対応する前出し陳列状態とに兼用でき、いずれの状態においても、視認性の高い陳列をすることができる。
【発明を実施するための最良の形態】
【００１２】
この発明の第１実施形態に係る陳列具は、図１乃至図３に示すように、トレー１，２を前後に配置して連結し、後方のトレー２に対して前方のトレー１を上下に移動可能にした構成とされている。トレー１，２の材料には、板紙、段ボールのほか、プラスチックシートが使用される。
【００１３】
トレー１は、図４に示すようなブランクから形成される。このブランクでは、前面板１１の一側に側面板１２及び後面板１３が、他側に側面板１２及び継代片１４がそれぞれ順次連設され、前面板１１、側面板１２及び後面板１３の下端にはそれぞれ底面板１５ａ，１５ｂ，１５ｃが連設されている。
【００１４】
後面板１３の高さは、前面板１１よりも高く、側面板１２は、前面板１１から後面板１３の高さまで膨出弧を描くように次第に高くなっている。
【００１５】
前面板１１の上端には内前板１１ａ及び内底板１５ｅが順次連設され、後面板１３の上端には内後板１３ａ及び底折片１５ｄが順次連設されている。内底板１５ｅの先端中央部には突起１５ｆが、内後板１３ａの底折片１５ｄとの境界中央部には切込１３ｂがそれぞれ設けられている。
【００１６】
そして、後面板１３の両側部には、上下方向に延びる長穴１６が側縁に沿って２本平行に形成されている。
【００１７】
このようなブランクを組み立てるには、図５に示すように、前面板１１、一対の側面板１２及び後面板１３を四角筒状に折り曲げ、継代片１４を後面板１３に貼り付けて周壁を形成し、底面板１５ａ，１５ｂ，１５ｃを噛み合わせて底面を閉止する。
【００１８】
次に、後面板１３の内面に内後板１３ａを、前面板１１の内面に内前板１１ａをそれぞれ重ね、底折片１５ｄを前方へ、内底板１５ｅを後方へ順次折り曲げてこれらを重ね合わせ、内底板１５ｅの突起１５ｆを内後板１３ａの切込１３ｂに差し込む。
【００１９】
一方、トレー２は、図６に示すようなブランクから形成される。このブランクでは、前面板２１の一側に側面板２２及び後面板２３が、他側に側面板２２及び継代片２４がそれぞれ順次連設され、前面板２１、側面板２２及び後面板２３の下端にはそれぞれ底面板２５ａ，２５ｂ，２５ｃが連設されている。
【００２０】
前面板２１の高さは、トレー１の後面板１３の高さとほぼ同一であり、後面板２３はこれより高く、側面板２２は、前面板２１から後面板２３の高さまで膨出弧を描くように次第に高くなっている。
【００２１】
前面板２１の上端には内前板２１ａ及び内底板２５ｄが順次連設され、後面板２３の上端には内後板２３ａが連設されている。内前板２１ａの内底板２５ｄとの境界中央部には切込２１ｂが、内後板２３ａの先端中央部には切込２３ｂがそれぞれ設けられている。
【００２２】
そして、前面板２１及び内前板２１ａの両側部には、２個の丸穴２６がトレー１の２本の長穴１６と同一の間隔で形成されている。また、後面板２３と内後板２３ａの境界部には、スリット２３ｃが設けられている。
【００２３】
このようなブランクを組み立てるには、図７に示すように、前面板２１、一対の側面板２２及び後面板２３を四角筒状に折り曲げ、継代片２４を後面板２３に貼り付けて周壁を形成し、底面板２５ａ，２５ｂ，２５ｃを噛み合わせて底面を閉止する。
【００２４】
次に、後面板２３の内面に内後板２３ａを、前面板２１の内面に内前板２１ａをそれぞれ重ね、内底板２５ｄを後方へ順次折り曲げて底面板２５ａ，２５ｂ，２５ｃに重ねる。このとき、前面板２１と内前板２１ａの丸穴２６が一致する。
【００２５】
ここで、トレー１，２を連結する際には、図１乃至図３に示すように、係止突部３０としてプラスチック製のビスを使用し、内後板１３ａ及び内前板２１ａの折り曲げ前に、トレー１，２を前後に並べ、丸穴２６を介しトレー２から前方へ突出したビスの軸部を長穴１６にスライド自在に挿通して、ビスを頭部で抜け止めし、その後、内後板１３ａ及び内前板２１ａを折り曲げる。
【００２６】
また、商品の陳列に際しては、トレー２の内部に、商品を見やすくするため、箱型の低い雛壇３及び高い雛壇４を前後に並べて挿入し、その突起３ａ，４ａをそれぞれ切込２１ｂ，２３ｂに係合させ、雛壇３，４をトレー２に固定する。
【００２７】
さらに、広告効果を高めるため、商品のキャッチコピー等を印刷した広告板５を用意して、その差込片５ａをトレー２のスリット２３ｃに差し込み、トレー２に広告板５を取り付ける。
【００２８】
上記のような陳列具では、前後のトレー１，２を上下に離すことなく、前後に並べた状態で、係止突部３０を長穴１６に挿通して、後方のトレー２に対し前方のトレー１をスライド自在に連結できるため、組立作業を容易に行うことができる。
【００２９】
そして、図１に示すように、前後のトレー１，２が共に奥行きの深い棚Ａに載置された通常の棚置陳列状態と、図２に示すように、後方のトレー２が奥行きの浅い棚Ｂに載置され、前方のトレー１が後方のトレー２に掛け下げられた前出し陳列状態とに兼用することができ、いずれの状態においても、視認性の高い陳列をすることができる。
【００３０】
なお、上記実施形態では、四角形平面のトレー１がトレー２の一面の前面板２１に沿って上下にスライドするものを例示したが、図８及び図９に示す第２実施形態のように、Ｌ字形平面のトレー１がトレー２の直角をなして隣接する二面の前面板２１に沿って上下にスライドするものとしてもよい。
【００３１】
この場合、図８に示すように、二方向いずれの奥行きも深い棚Ａに対応する通常の棚置陳列状態と、図９に示すように、奥行きの浅い棚Ｂのコーナー部分に対応する前出し陳列状態とに兼用できる。
【００３２】
また、トレー１が垂直な長穴１６に沿って垂直方向にスライドするものを例示したが、長穴１６を斜めに延びるものとして、この長穴１６に沿ってトレー１が斜め方向にスライドするものとしてもよい。
【００３３】
また、トレー２から前方に突出した係止突部３０を、トレー１に形成した長穴１６に挿通するものを例示したが、トレー１から後方に突出した係止突部３０を、トレー２に形成した長穴１６に挿通するようにしてもよく、これらの構成を組み合わせてトレー１，２を連結してもよい。
【００３４】
さらに、係止突部３０としてプラスチック製のビスを使用したものを例示したが、係止突部３０は、トレー２の前面又はトレー１の後面を切り起こして形成するようにしてもよい。この場合、ビスのような別パーツを用意することなく、トレー１，２のブランクのみから陳列具を組み立てることができる。
【００３５】
そのほか、トレー１，２として、天面全体が開口したものを例示したが、トレー１，２の天面に、蓋状の商品の保持枠を設けてもよい。
【００３６】
また、トレーを２個連結したものを例示したが、３個以上のトレーを前後に連結してもよく、１個のトレーについて複数個のトレーを連結するようにしてもよい。
【図面の簡単な説明】
【００３７】
【図１】第１実施形態に係る陳列具の通常の棚置陳列状態を示す斜視図
【図２】同上の前出し陳列状態を示す斜視図
【図３】同上の前方のトレーの掛け下げ構造を示す縦断側面図
【図４】同上の前方のトレーのブランクを示す図
【図５】同上の組立状態を示す斜視図
【図６】同上の後方のトレーのブランクを示す図
【図７】同上の組立状態を示す斜視図
【図８】第２実施形態に係る陳列具の通常の棚置陳列状態を示す斜視図
【図９】同上の前出し陳列状態を示す斜視図
【図１０】従来の陳列具の（ａ）通常の棚置陳列状態を示す斜視図、（ｂ）前出し陳列状態を示す斜視図
【符号の説明】
【００３８】
１，２  トレー
３，４  雛壇
３ａ，４ａ  突起
５  広告板
５ａ  差込片
１１  前面板
１１ａ  内前板
１２  側面板
１３  後面板
１３ａ  内後板
１３ｂ  切込
１４  継代片
１５ａ，１５ｂ，１５ｃ  底面板
１５ｄ  底折片
１５ｅ  内底板
１５ｆ  突起
１６  長穴
２１  前面板
２１ａ  内前板
２１ｂ  切込
２２  側面板
２３  後面板
２３ａ  内後板
２３ｂ  切込
２３ｃ  スリット
２４  継代片
２５ａ，２５ｂ，２５ｃ  底面板
２５ｄ  内底板
２６  丸穴
３０  係止突部
Ａ，Ｂ  棚
【図１】
2009082557.tif 000003
【図２】
2009082557.tif 000004
【図３】
2009082557.tif 000005
【図４】
2009082557.tif 000006
【図５】
2009082557.tif 000007
【図６】
2009082557.tif 000008
【図７】
2009082557.tif 000009
【図８】
2009082557.tif 000010
【図９】
2009082557.tif 000011
【図１０】
2009082557.tif 000012